【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
二方向割出し可能切削インサート（２２）であって、
ちょうど四つのインサート角部分（３０）によって画成される正四面体の基本形状と、四つのインサートフェース面（３２）と、を含み、
前記四つのインサートフェース面（３２）は、互いに交差し、
第一主切れ刃（４４ａ）を形成するように交差する第一すくいフェース面（３４ａ）および第一逃げフェース面（３６ａ）と、
第二主切れ刃（４４ｂ）を形成するように交差する第二すくいフェース面（３４ｂ）および第二逃げフェース面（３６ｂ）と、を含み、
前記四つのインサート面（３２）のそれぞれは、一つのすくいフェース面（３４ａ、３４ｂ）または一つの逃げフェース面（３６ａ、３６ｂ）のみを有する、
切削インサート（２２）。
【請求項２】
前記第一および第二すくいフェース面（３４ａ、３４ｂ）は互いに同一であり、
前記第一および第二逃げフェース面（３６ａ、３６ｂ）は互いに同一である、請求項１に記載の切削インサート（２２）。
【請求項３】
前記第一および第二逃げフェース面（３６ａ、３６ｂ）は、前記第一および第二すくいフェース面（３４ａ、３４ｂ）と同一でない、請求項１または２に記載の切削インサート（２２）。
【請求項４】
前記第一および第二すくいフェース面（３４ａ、３４ｂ）ならびに第一および第二逃げフェース面（３６ａ、３６ｂ）は、ちょうど六つのインサートエッジ（３８）を形成するように全て互いに交差し、各インサートエッジ（３８）は二つのインサート角部分（３０）の間に延び、
前記ちょうど六つのインサートエッジ（３８）は、前記第一すくいフェース面（３４ａ）と前記第一逃げフェース面（３６ａ）とのおよび前記第二すくいフェース面（３４ｂ）と前記第二逃げフェース面（３６ｂ）との交差部にそれぞれ形成される二つの離間したプライマリインサートエッジ（４０）と、前記二つのプライマリインサートエッジ（４０）を接続する四つのセカンダリインサートエッジ（４２）と、を含み、
各主切れ刃（４４ａ、４４ｂ）は、前記プライマリインサートエッジ（４０）のそれぞれに形成される、請求項１〜３のいずれか一項に記載の切削インサート（２２）。
【請求項５】
前記四つのセカンダリインサートエッジ（４２）は、四つの副切れ刃（７２）を含み、
各副切れ刃（７２）は、それぞれのインサート角部分（３０）で関連する主切れ刃（４４ａ、４４ｂ）と合流し、
各副切れ刃（７２）は直線状である、請求項４に記載の切削インサート（２２）。
【請求項６】
各主切れ刃（４４ａ、４４ｂ）は、二つの凸状に湾曲した主切れ刃構成要素（６８）と、それらの間に延びる直線状主切れ刃構成要素（７０）と、を含み、
各副切れ刃（７２）は、それが合流する前記関連する主切れ刃（４４ａ、４４ｂ）の前記直線状主切れ刃構成要素（７０）に対して垂直である、請求項５に記載の切削インサート（２２）。
【請求項７】
各すくいフェース面（３４ａ、３４ｂ）は、各主切れ刃（４４ａ、４４ｂ）に隣接するすくい面（４６）を含み、
各すくいフェース面（３４ａ、３４ｂ）はすくいクランプ面（４８）をさらに含み、
前記すくいクランプ面（４８）は前記すくい面（４６）から離間する、請求項１〜６のいずれか一項に記載の切削インサート（２２）。
【請求項８】
前記すくいクランプ面（４８）は、前記すくい面（４６）から少なくともすくい当接面（５０）によって離間する、請求項７に記載の切削インサート（２２）。
【請求項９】
各逃げフェース面（３６ａ、３６ｂ）は、各主切れ刃（４４ａ、４４ｂ）に隣接する逃げ面（５６）を含み、
各逃げフェース面（３６ａ、３６ｂ）は逃げ当接面（５８）を含み、
前記逃げ当接面（５８）は、前記逃げ面（５６）から離間する、請求項１〜８のいずれか一項に記載の切削インサート（２２）。
【請求項１０】
前記逃げ当接面（５８）は、前記逃げ面（５６）から少なくとも逃げベアリング面（６０）によって離間する、請求項９に記載の切削インサート（２２）。
【請求項１１】
各逃げフェース面（３６ａ、３６ｂ）は、二つの隣接するインサートフェース面（３２）の間に延びる逃げ傾斜面（６２）を含み、前記逃げ傾斜面（６２）は、前記主切れ刃（４４ａ、４４ｂ）から離間し、前記主切れ刃（４４ａ、４４ｂ）から離れる方向に高さが減少し、前記逃げ傾斜面（６２）は、前記逃げフェース面（３６ａ、３６ｂ）を逃げ高部分（６４）と逃げ低部分（６６）とに分割し、
前記逃げ当接面（５８）は、前記逃げ低部分（６６）に位置し、
前記逃げ面（５６）は、前記逃げ高部分（６４）に位置し、
前記逃げベアリング面（６０）は、前記逃げ傾斜面（６２）に位置する、請求項１０に記載の切削インサート（２２）。
【請求項１２】
前方から後方への方向（ＤＦ、ＤＲ）を画成するホルダ長手方向軸（Ｂ）を有するインサートホルダ（２４）であって、インサートホルダ本体（２６）と、クランプ部材（２８）と、を含み、
前記インサートホルダ本体（２６）は、
前記ホルダ長手方向軸（Ｂ）に沿って周囲に延びるホルダ周囲面（７６）であって、前記インサートホルダ本体（２６）の前方端でホルダ端面（７８）と交差してその境界を形成する、ホルダ周囲面（７６）と、
装着ジョー（８２）の先端に位置するポケット開口部（９８）を有するインサート受け入れポケット（９６）を一緒に画成する三つの離間した前記装着ジョー（８２）を含む、前方に位置する装着部分（８０）と、を含み、
前記クランプ部材（２８）は、前記インサートホルダ本体（２６）に取り付けられ、前記ポケット開口部（９８）内に突き出るクランプ部分（１０２）を含む、インサートホルダ（２４）。
【請求項１３】
前記クランプ部材（２８）は細長であり、
前記クランプ部分（１０２）は、前記クランプ部材（２８）の先端に位置する、請求項１２に記載のインサートホルダ（２４）。
【請求項１４】
前記インサート受け入れポケット（９６）は、前記ホルダ周囲面（７６）に凹設され、前記ホルダ端面（７８）に開口する、請求項１２または１３に記載のインサートホルダ（２４）。
【請求項１５】
前記装着部分（８０）は、ちょうど三つの装着ジョー（８２）を含む、請求項１２〜１４のいずれか一項に記載のインサートホルダ（２４）。
【請求項１６】
前記インサートホルダ（２４）は、ホルダ主平面（Ｐ）を有し、前記ホルダ主平面（Ｐ）は、前記ホルダ長手方向軸（Ｂ）を含み、前記インサート受け入れポケット（９６）と前記ホルダ端面（７８）との両方を通過し、
前記装着ジョー（８２）は、
前記ホルダ主平面（Ｐ）の両側に位置する二つの後方楔ジョー（８４）と、
前記二つの後方楔ジョー（８４）の前方に位置し、前記ホルダ主平面（Ｐ）により交差される前方支持ジョー（８６）と、を含む、請求項１２〜１５のいずれか一項に記載のインサートホルダ（２４）。
【請求項１７】
前記装着部分（８０）は、ジョーベース面（９２）と、ジョー後面（９４）と、を含み、前記ジョー後面（９４）は、前記ジョーベース面（９２）に対して横断方向に延び、前記装着部分（８０）の後方境界を形成し、
前記二つの後方楔ジョー（８４）は、前記ジョー後面（９４）によって接続され、前記ジョー後面（９４）から突出し
前記前方支持ジョー（８６）は前記ジョーベース面（９２）から突出する、請求項１６に記載のインサートホルダ（２４）。
【請求項１８】
前記装着部分（８０）は二つのジョースリット（１００）を含み、各ジョースリット（１００）は前記前方支持ジョー（８６）をそれぞれの後方楔ジョー（８４）から隔て、前記装着部分（８０）の前方部分で前記ポケット開口部（９８）に開口する、請求項１６または１７に記載のインサートホルダ（２４）。
【請求項１９】
各後方楔ジョー（８４）は、楔当接面（８８）を含み、
前記前方支持ジョー（８６）は、プライマリ支持当接面（９０ａ）を含む、請求項１６〜１８のいずれか一項に記載のインサートホルダ（２４）。
【請求項２０】
前記二つの楔当接面（８８）は、前記前方方向（ＤＦ）におよび前記ホルダ主平面（Ｐ）に向かう内方方向に、下方に同時に傾く、請求項１９に記載のインサートホルダ（２４）。
【請求項２１】
前記プライマリ支持当接面（９０ａ）は、前記ホルダ長手方向軸（Ｂ）に対して垂直な方向に長手方向に延びる、請求項１９または２０に記載のインサートホルダ（２４）。
【請求項２２】
前記プライマリ支持当接面（９０ａ）は、前記インサートホルダ本体（２６）の全幅にわたって長手方向に延びる、請求項１９〜２１のいずれか一項に記載のインサートホルダ（２４）。
【請求項２３】
前記二つの楔当接面（８８）および前記プライマリ支持当接面（９０ａ）は平面状である、請求項１９〜２２のいずれか一項に記載のインサートホルダ（２４）。
【請求項２４】
前記クランプ部材（２８）は、前記インサートホルダ本体（２６）とは別に形成され、
前記インサートホルダ本体（２６）は、前記インサート受け入れポケット（９６）の後方で前記ホルダ周囲面（７６）に凹設され前記ホルダ周囲面（７６）に開口するホルダねじ孔（１０４）を含み、
前記クランプ部材（２８）は、クランプ部材貫通穴（１０６）を含み、
前記クランプ部材（２８）は、前記クランプ部材貫通穴（１０６）内に位置し前記ホルダねじ孔（１０４）に螺入される保持スクリュ（１０８）によって前記インサートホルダ本体（２６）に解放可能に取り付けられる、請求項１２〜２３のいずれか一項に記載のインサートホルダ（２４）。
【請求項２５】
前記保持スクリュ（１０８）が前記ホルダねじ孔（１０４）に部分的に螺入されたときに、前記クランプ部材（２８）は、前記クランプ部分（１０２）が前記ポケット開口部（９８）を妨げないように前記ホルダねじ孔（１０４）のねじ孔軸（Ｃ）を中心に回転可能である、請求項２４に記載のインサートホルダ（２４）。
【請求項２６】
解放位置と固締位置との間で調節可能である切削工具（２０）であって、
請求項１２〜２５のいずれか一項に記載のインサートホルダ（２４）と、
前記インサート受け入れポケット（９６）内に位置し、前記固締位置で前記インサートホルダのクランプ部分（１０２）によって前記インサート受け入れポケット（９６）内にクランプされる、二方向割出し可能切削インサート（２２）と、を含み、
前記切削インサート（２２）は、ちょうど四つのインサート角部分（３０）によって画成される四面体の基本形状を有し、四つのインサートフェース面（３２）を含み、
前記四つのインサートフェース面（３２）は、互いに交差し、
第一主切れ刃（４４ａ）を形成するように交差する第一すくいフェース面（３４ａ）および第一逃げフェース面（３６ａ）と、
第二主切れ刃（４４ｂ）を形成するように交差する第二すくいフェース面（３４ｂ）および第二逃げフェース面（３６ｂ）と、を含む、切削工具（２０）。
【請求項２７】
前記インサートホルダ（２４）は、ホルダ主平面（Ｐ）を有し、前記ホルダ主平面（Ｐ）は、前記ホルダ長手方向軸（Ｂ）を含み、前記インサート受け入れポケット（９６）と前記ホルダ端面（７８）との両方を通過し、
前記装着ジョー（８２）は、
前記ホルダ主平面（Ｐ）の両側に位置する二つの後方楔ジョー（８４）であって、各後方楔ジョー（８４）は、楔当接面（８８）を含む、後方楔ジョー（８４）と、
前記二つの後方楔ジョー（８４）の前方に位置し、前記ホルダ主平面（Ｐ）により交差される前方支持ジョー（８６）であって、プライマリ支持当接面（９０ａ）を含む、前方支持ジョー（８６）と、を含み、
前記切削インサートにおいて、
各すくいフェース面（３４ａ、３４ｂ）は、各主切れ刃（４４ａ、４４ｂ）に隣接するすくい面（４６）を含み、
各すくいフェース面（３４ａ、３４ｂ）はすくいクランプ面（４８）をさらに含み、
前記すくいクランプ面（４８）は、前記すくい面（４６）から少なくともすくい当接面（５０）によって離間し、
各逃げフェース面（３６ａ、３６ｂ）は、各主切れ刃（４４ａ、４４ｂ）に隣接する逃げ面（５６）を含み、
各逃げフェース面（３６ａ、３６ｂ）は逃げ当接面（５８）を含み、
前記逃げ当接面（５８）は、前記逃げ面（５６）から離間し、
前記逃げ当接面（５８）は、前記逃げ面（５６）から少なくとも逃げベアリング面（６０）によって離間し、
前記切削工具（２０）の前記固締位置において、
前記クランプ部分（１０２）は、前記第一すくいフェース面（３４ａ）の前記すくいクランプ面（４８）をクランプ係合し、
前記プライマリ支持当接面（９０ａ）は、前記第一逃げフェース面（３６ａ）の前記逃げベアリング面（６０）に当接し、
前記楔当接面（８８）の一方は、前記第二すくいフェース面（３４ｂ）の前記すくい当接面（５０）に当接し、
前記楔当接面（８８）の他方は、前記第二逃げフェース面（３６ｂ）の前記逃げ当接面（５８）に当接する、請求項２６に記載の切削工具（２０）。
【請求項２８】
各逃げフェース面（３６ａ、３６ｂ）は、二つの隣接するインサートフェース面（３２）の間に延びる逃げ傾斜面（６２）を含み、前記逃げ傾斜面（６２）は、前記主切れ刃（４４ａ、４４ｂ）から離間し、前記主切れ刃（４４ａ、４４ｂ）から離れる方向に高さが減少し、前記逃げ傾斜面（６２）は、前記逃げフェース面（３６ａ、３６ｂ）を逃げ高部分（６４）と逃げ低部分（６６）とに分割し、
前記逃げ当接面（５８）は、前記逃げ低部分（６６）に位置し、
前記逃げ面（５６）は、前記逃げ高部分（６４）に位置し、
前記逃げベアリング面（６０）は、前記逃げ傾斜面（６２）に位置する、請求項２７に記載の切削工具（２０）。